(57)【特許請求の範囲】
【請求項１】
互いに直交する長手方向、幅方向、及び、厚さ方向を有し、
前記厚さ方向に、液透過性のトップシート、液透過性のセカンドシート、吸収体、及び、液不透過性のバックシートが順に積層され、
前記幅方向の両側部に、前記トップシート、前記セカンドシート、及び、前記吸収体を、前記トップシート側から前記厚さ方向に圧縮した一対の圧縮部が形成された吸収性物品であって、
前記セカンドシートは、前記幅方向の両端部が折り返されることにより、前記幅方向の両端部に位置する一対の２層部と、前記幅方向の中央部に位置する１層部と、を有し、
前記長手方向の中央部において、前記セカンドシートが有する前記２層部の少なくとも一部が、前記吸収体よりも、前記幅方向の外側に位置していること、
を特徴とする吸収性物品。
【請求項２】
請求項１に記載の吸収性物品であって、
前記圧縮部が形成された部位の厚さが、前記圧縮部よりも前記幅方向の外側の部位の最大厚さの半分以下であることを特徴とする吸収性物品。
【請求項３】
請求項１又は請求項２に記載の吸収性物品であって、
下着の肌側面に前記吸収性物品を固定する接着剤が、前記バックシートの非肌側面に設けられ、
前記接着剤が設けられた領域の前記幅方向の端よりも、前記セカンドシートの前記幅方向の端の方が、前記幅方向の外側に位置していることを特徴とする吸収性物品。
【請求項４】
請求項１から請求項３の何れか１項に記載の吸収性物品であって、
前記長手方向の中央位置では、前記セカンドシートの折り返された部位の前記幅方向の内側の端が、前記圧縮部よりも前記幅方向の外側に位置し、
前記長手方向の中央位置から前記長手方向に間隔を空けた位置では、前記セカンドシートの折り返された部位の前記幅方向の内側の端が、前記圧縮部よりも前記幅方向の内側に位置していることを特徴とする吸収性物品。
【請求項５】
請求項１から請求項４の何れか１項に記載の吸収性物品であって、
前記長手方向の中央位置の方が、前記長手方向の中央位置から前記長手方向に間隔を空けた位置に比べて、一対の前記圧縮部の前記幅方向の間隔が狭いことを特徴とする吸収性物品。
【請求項６】
請求項１から請求項５の何れか１項に記載の吸収性物品であって、
前記長手方向の中央位置の方が、前記長手方向の中央位置から前記長手方向に間隔を空けた位置に比べて、前記吸収体の幅が狭いことを特徴とする吸収性物品。
【請求項７】
請求項１から請求項６の何れか１項に記載の吸収性物品であって、
前記セカンドシートは、前記幅方向の両端部が前記トップシート側に折り返されていることを特徴とする吸収性物品。
【発明の詳細な説明】
【技術分野】
【０００１】
本発明は、吸収性物品に関する。
【背景技術】
【０００２】
吸収性物品として、例えば、液透過性のトップシートと液不透過性のバックシートの間に、経血等の排泄物を吸収・保持する吸収体が設けられた生理用ナプキンが挙げられる。生理用ナプキンでは、股間に装着されて横からの変形力を受けた際に、様々な形状に変形してしまうと、フィット性が悪く、違和感が増す等の問題が生じていた。そこで、吸収体の幅方向の両側部に、非肌側から弾性部材を接着し、両側部の剛性を中央部の剛性よりも高くすることで、生理用ナプキンの断面形状を、肌側に向けて凸となる形状に誘導し易くした生理用ナプキンが提案されている（例えば特許文献１参照）。
【先行技術文献】
【特許文献】
【０００３】
【特許文献１】特許第３７３７２５１号
【発明の概要】
【発明が解決しようとする課題】
【０００４】
しかし、生理用ナプキンの断面形状が肌側に向けて凸となる形状となり、生理用ナプキンの幅方向の両側部が下側に折れてしまうと、幅方向に流れ出た経血等を、生理用ナプキンの幅方向の両側部で堰き止めることができない。したがって、生理用ナプキンから経血等が漏れてしまう虞がある。
【０００５】
本発明は、上記課題に鑑みてなされたものであって、その目的は、経血等の排泄物の漏れを抑制した吸収性物品を提供することである。
【課題を解決するための手段】
【０００６】
上記目的を達成するための主たる発明は、互いに直交する長手方向、幅方向、及び、厚さ方向を有し、前記厚さ方向に、液透過性のトップシート、液透過性のセカンドシート、吸収体、及び、液不透過性のバックシートが順に積層され、前記幅方向の両側部に、前記トップシート、前記セカンドシート、及び、前記吸収体を、前記トップシート側から前記厚さ方向に圧縮した一対の圧縮部が形成された吸収性物品であって、前記セカンドシートは、前記幅方向の両端部が折り返されることにより、前記幅方向の両端部に位置する一対の２層部と、前記幅方向の中央部に位置する１層部と、を有し、前記長手方向の中央部において、前記セカンドシートが有する前記２層部の少なくとも一部が、前記吸収体よりも、前記幅方向の外側に位置していること、を特徴とする吸収性物品である。
本発明の他の特徴については、本明細書及び添付図面の記載により明らかにする。
【発明の効果】
【０００７】
本発明によれば、排泄物の漏れを抑制した吸収性物品を提供することができる。
【図面の簡単な説明】
【０００８】
【図１】ナプキンにおける着用者の肌側の概略平面図である。
【図２】ナプキンにおける着用者の非肌側の概略平面図である。
【図３】図３Ａ及び図３Ｂは図１の位置ＡＡ，位置ＢＢでのナプキンの概略断面図である。
【図４】図４Ａは自然状態であるナプキンの断面形状を示し、図４Ｂは着用時のナプキンの断面形状を示す図である。
【図５】ナプキンの厚さを説明する図である。
【図６】セカンドシートの変形例を説明する図である。
【発明を実施するための形態】
【０００９】
本明細書及び添付図面の記載により、少なくとも以下の事項が明らかとなる。
互いに直交する長手方向、幅方向、及び、厚さ方向を有し、前記厚さ方向に、液透過性のトップシート、液透過性のセカンドシート、吸収体、及び、液不透過性のバックシートが順に積層され、前記幅方向の両側部に、前記トップシート、前記セカンドシート、及び、前記吸収体を、前記トップシート側から前記厚さ方向に圧縮した一対の圧縮部が形成された吸収性物品であって、前記セカンドシートは、前記幅方向の両端部が折り返されることにより、前記幅方向の両端部に位置する一対の２層部と、前記幅方向の中央部に位置する１層部と、を有し、前記長手方向の中央部において、前記セカンドシートが有する前記２層部の少なくとも一部が、前記吸収体よりも、前記幅方向の外側に位置していること、を特徴とする吸収性物品である。
このような吸収性物品によれば、長手方向の中央部における幅方向の両側部を、安定的に、綺麗に、肌側に起立させることができるため、幅方向に流れ出た排泄物を幅方向の両側部で堰き止めることができる。一方、幅方向の中央部では、セカンドシートが１層であるため、液透過性の低下を防ぎ、幅方向の中央部から排泄物が溢れ出てしまうことを抑制できる。したがって、吸収性物品からの排泄物の漏れを抑制できる。
【００１０】
かかる吸収性物品で、前記圧縮部が形成された部位の厚さが、前記圧縮部よりも前記幅方向の外側の部位の最大厚さの半分以下であることを特徴とする吸収性物品である。
このような吸収性物品によれば、幅方向の両側部が肌側に起立し易くなるため、より確実に、幅方向に流れ出た排泄物を幅方向の両側部で堰き止めることができる。
【００１１】
かかる吸収性物品であって、下着の肌側面に前記吸収性物品を固定する接着剤が、前記バックシートの非肌側面に設けられ、前記接着剤が設けられた領域の前記幅方向の端よりも、前記セカンドシートの前記幅方向の端の方が、前記幅方向の外側に位置していることを特徴とする吸収性物品である。
このような吸収性物品によれば、幅方向の両側部の動きが下着に規制されてしまうことを防ぎ、幅方向の両側部が肌側に起立し易くなるため、より確実に、幅方向に流れ出た排泄物を幅方向の両側部で堰き止めることができる。
【００１２】
かかる吸収性物品であって、前記長手方向の中央位置では、前記セカンドシートの折り返された部位の前記幅方向の内側の端が、前記圧縮部よりも前記幅方向の外側に位置し、前記長手方向の中央位置から前記長手方向に間隔を空けた位置では、前記セカンドシートの折り返された部位の前記幅方向の内側の端が、前記圧縮部よりも前記幅方向の内側に位置していることを特徴とする吸収性物品である。
このような吸収性物品によれば、セカンドシートの幅方向の端部が折り返された状態を圧縮部により維持しつつ、長手方向の中央位置では、セカンドシートの２層部を肌側に隆起させることができるため、より確実に、幅方向に流れ出た排泄物を幅方向の両側部で堰き止めることができる。
【００１３】
かかる吸収性物品であって、前記長手方向の中央位置の方が、前記長手方向の中央位置から前記長手方向に間隔を空けた位置に比べて、一対の前記圧縮部の前記幅方向の間隔が狭いことを特徴とする吸収性物品である。
このような吸収性物品によれば、圧縮部が着用者の大腿部に沿い易く、幅方向の両側部が肌側に起立し易くなるため、より確実に、幅方向に流れ出た排泄物を幅方向の両側部で堰き止めることができる。
【００１４】
かかる吸収性物品であって、前記長手方向の中央位置の方が、前記長手方向の中央位置から前記長手方向に間隔を空けた位置に比べて、前記吸収体の幅が狭いことを特徴とする吸収性物品である。
このような吸収性物品によれば、吸収体が着用者の大腿部に沿い易く、幅方向の両側部が肌側に起立し易くなるため、より確実に、幅方向に流れ出た排泄物を幅方向の両側部で堰き止めることができる。
【００１５】
かかる吸収性物品であって、前記セカンドシートは、前記幅方向の両端部が前記トップシート側に折り返されていることを特徴とする吸収性物品である。
このような吸収性物品によれば、セカンドシートの２層部を肌側に隆起させることができるため、より確実に、幅方向に流れ出た排泄物を幅方向の両側部で堰き止めることができる。
【００１６】
＝＝＝生理用ナプキンの概略構成＝＝＝
吸収性物品の一例として生理用ナプキン（以下、ナプキン）を例に挙げて、実施形態を説明する。
図１は、ナプキン１における着用者の肌側の概略平面図である。図２は、ナプキン１における着用者の非肌側の概略平面図である。図３Ａ及び図３Ｂは、図１の位置ＡＡ，位置ＢＢでのナプキン１の概略断面図である。ナプキン１は、図示するように、互いに直交する長手方向、幅方向、及び、厚さ方向を有する。また、ナプキン１では、図３に示すように、厚さ方向の肌側から、液透過性のトップシート２、液透過性のセカンドシート３、吸収体４、及び、液不透過性のバックシート５が順に積層されている。各部材２〜５の界面には、不図示の接着剤（例えばホットメルト接着剤）が塗布されている。
【００１７】
吸収体４は、経血等の排泄物を吸収・保持するためのものであり、例えば親水性繊維や高分子吸水ポリマー等から構成されるものが挙げられる。本実施形態の吸収体４の平面形状は、図１に示すように、長手方向に延びた瓢箪形状である。すなわち、長手方向の両端部１ａが丸みを有し、長手方向の中央部１ｂが幅方向にくびれた形状となっている。
【００１８】
トップシート２（例えば不織布や開孔フィルム等）、及び、バックシート５（例えば合成樹脂フィルムや防水処理が施された不織布等）は、平面形状が同じであり、吸収体４よりも一回り大きく、且つ、長手方向の中央部１ｂから幅方向の両外側に延出する一対のウィング部１０を形成する。以下の説明では、ウィング部１０以外の部位を、ナプキン１の本体部１１とも呼ぶ。なお、ウィング部１０を有さないナプキン１であってもよい。そして、トップシート２の周縁部とバックシート５の周縁部は、例えばヒートエンボス加工や接着剤等により接合され、接合部６が形成されている。
【００１９】
セカンドシート３は、液透過性を備えつつ、トップシート２やバックシート５よりも厚さ方向に弾性を備えるシートとする。よって、セカンドシート３としては、液透過性及び弾性が付与されやすく、且つ、比較的に安価で、製法が容易である合成樹脂繊維（例えば、ポリエチレンＰＥ、ポリプロピレンＰＰ、ポリエチレンテレフタレートＰＥＴ等）の不織布が一例として挙げられる。但し、これに限らず、天然繊維（例えばコットン）や再生繊維（例えばレーヨン）の不織布等であってもよい。また、不織布の製造方法としては、液透過性及び弾性が付与されやすいサーマルボンド法、特に、ネット上に堆積させた繊維に熱風を貫通させてシート状にするエアスルー式が望ましい。但し、これに限らず、ケミカルボンド法やスパンレース法等、他の製造方法でもよい。また、液透過性及び弾性が発揮されるように、セカンドシート３の目付を２０〜４０ｇ/ｍ2とし、セカンドシート３の厚さを１〜４ｍｍにすることが望ましい。
【００２０】
更に、セカンドシート３は、図３に示すように、幅方向の両端部が非肌側（吸収体４側）に折り返されている。詳しくは、セカンドシート３の幅方向の一方側の端部が折り返された部位と、幅方向の他方側の端部が折り返された部位とが、厚さ方向に重ならないように、セカンドシート３の幅方向の両端部は折り返されている。よって、セカンドシート３は、幅方向の両端部に位置する一対の２層部３０と、幅方向の中央部に位置する１層部３１とを有することになる。
【００２１】
また、ナプキン１には、例えばヒートエンボス加工により、トップシート２、セカンドシート３、及び、吸収体４を、肌側（トップシート２側）から厚さ方向に圧縮して一体化した圧縮部（凹部）７，８が形成されている。圧縮部は、ナプキン１の長手方向の中央部１ｂにおける幅方向の両側部に設けられ、長手方向に延びる一対の第１圧縮部７（一対の圧縮部）と、ナプキン１の長手方向の両端部１ａにそれぞれ設けられ、ハート形状である第２圧縮部８とを有する。詳しくは、第１圧縮部７は、幅方向の内側に凸となる円弧部分を有し、その円弧部分は、吸収体４の幅方向の端４ａに沿って湾曲している。また、第１圧縮部７、及び、第２圧縮部８では、それぞれ、低圧縮部７０，８０と、低圧縮部７０，８０よりも高い圧力で圧縮され、凹部の深さが深い高圧縮部７１，８１とが、交互に並んでいる。なお、圧縮部は、凹部が連続した溝形状でもよいし、複数の凹部が間隔を空けて線状に並んだ形状でもよい。
【００２２】
また、図２に示すように、バックシート５の非肌側面には、下着にナプキン１を固定し、且つ、下着からナプキン１を剥離可能な接着剤２０，２１（例えばホットメルト接着剤）が設けられている。接着剤は、ナプキン１の本体部１１に設けられた第１接着剤２０と、ウィング部１０に設けられた第２接着剤２１と、を有する。第１接着剤２０は、下着の肌側面に接着され、第２接着剤２１は、折り返されたウィング部１０により、下着の非肌側面に接着される。なお、図２では、長手方向に延びた接着剤の帯が、第１接着剤２０では幅方向に１０本並び、第２接着剤２１には１本設けられた場合を例に挙げているが、接着剤の塗布パターンはこれに限らない。
【００２３】
＝＝＝生理用ナプキンの漏れ抑制＝＝＝
図４Ａは、自然状態であるナプキン１の断面形状を示し、図４Ｂは、着用時のナプキン１の断面形状を示す図である。なお、図４Ａ及び図４Ｂは、ナプキン１の長手方向の中央部１ｂを幅方向及び厚さ方向に切った断面図である。本実施形態のナプキン１では、図１に示すように、長手方向の中央部１ｂにおいて、セカンドシート３の幅方向の長さ（３ｂ，３ｂ間）が、吸収体４の幅方向の長さ（４ａ，４ａ間）よりも長くなっている。また、セカンドシート３と吸収体４の幅方向の中央位置が揃っているため、図３Ｂに示すように、セカンドシート３の幅方向の端部が折り返された２層部３０の一部が、吸収体４よりも、幅方向の外側に位置している。
【００２４】
ここで、仮に、ナプキン１の長手方向の中央部１ｂにおいて、セカンドシート３と吸収体４の幅方向の長さが等しく、セカンドシート３が吸収体４から幅方向の外側に飛び出していないとする。この場合、ナプキン１（本体部１１）の幅方向の両側部の剛性が、幅方向の中央部の剛性と同等に高くなる。そのため、着用者の股間部にナプキン１が挟み込まれ、ナプキン１を幅方向の内側に圧縮しようとする股締め力が作用すると、ナプキン１の幅方向の両側部は、圧縮された後に、肌側に折れたり、非肌側に折れたりしてしまう。つまり、着用時のナプキン１の変形が不安定となる。もし、ナプキン１の幅方向の両側部が非肌側に折れてしまうと、ナプキン１の幅方向の中央部と膣口との隙間からこぼれ出た排泄物や、幅方向の中央部で吸収し切れなかった排泄物が、幅方向に流れ出た場合に、ナプキン１の幅方向の両側部で排泄物を堰き止めることができず、ナプキン１から排泄物が漏れてしまう虞がある。
【００２５】
また、仮に、セカンドシート３の幅方向の両端部が折り返されておらず、吸収体４から幅方向の外側に飛び出るセカンドシート３が１層であるとする。セカンドシート３は液透過性を発揮する程の目付及び厚さにする必要があるため、この場合、ナプキン１の幅方向の両側部の剛性が、幅方向の中央部の剛性に比べて、低くなり過ぎてしまう。そのため、ナプキン１に股締め力が作用すると、ナプキン１の幅方向の両側部がくしゃくしゃに潰れ、様々な形状に折れてしまう。よって、幅方向に流れた排泄物を、ナプキン１の幅方向の両側部で堰き止めることができず、ナプキン１から排泄物が漏れてしまう虞がある。
【００２６】
これに対して、本実施形態のナプキン１では、前述のように、長手方向の中央部１ｂにおいて、セカンドシート３の幅方向の端部が折り返された２層部３０の一部が、吸収体４よりも、幅方向の外側に位置している。そのため、ナプキン１（本体部１１）の幅方向の両側部の剛性が、吸収体４が存在するときに比べると低くなるが、吸収体４から飛び出るセカンドシート３が１層であるとき程には低くなり過ぎない。よって、着用時のナプキン１の変形が不安定となったり、着用時にナプキン１の幅方向の両側部がくしゃくしゃに潰れたりすることを防げる。そして、図４Ｂに示すように、ナプキン１の幅方向の両側部を、第１圧縮部７を起点に、肌側に起立させることができる。
【００２７】
これは、本実施形態のナプキン１では、幅方向の両側部の剛性が、吸収体４が存在する場合に比べて低く、且つ、幅方向の両側部に存在するのが、吸収体４よりも肌側に位置するセカンドシート３であるため、第１圧縮部７がナプキン１に設けられることにより、自然状態においても（図４Ａ）、ナプキン１の幅方向の両側部が、第１圧縮部７を起点に、肌側に若干折れているからである。特に、本実施形態のナプキン１のように、ウィング部１０を有する場合、ウィング部１０が下着に折り返されることで、下着の脚繰り部に、ナプキン１の本体部１１の幅方向の両側部が位置することになる。その場合にも、仮に、ナプキン１の幅方向の両側部に吸収体４が存在していると、着用者に密着しようとする下着の脚繰り部の力が、吸収体４の剛性で相殺されてしまうので、幅方向の両側部は肌側に起立し難い。しかし、本実施形態のナプキン１では、幅方向の両側部に吸収体４が存在しないので、下着の脚繰り部によって、幅方向の両側部が肌側に起立しようとする力が助長される。したがって、本実施形態のナプキン１によれば、着用時に、長手方向の中央部１ｂにおける幅方向の両側部を、安定的に、綺麗に、肌側に起立させることができ、ナプキン１の断面形状をＷ字形状に変形させることができる。
【００２８】
このように、着用時に、ナプキン１の長手方向の中央部１ｂ、即ち、膣口周辺に当接する部位が、Ｗ字形状に変形することで、ナプキン１（本体部１１）の幅方向の中央部を膣口に密着させつつ、幅方向に流れ出た排泄物をナプキン１の幅方向の両側部で堰き止めることができる。よって、ナプキン１からの排泄物の漏れを抑制できる。また、ナプキン１の断面形状がＷ字形状であると、大陰唇から鼠蹊部にかけての膣口周辺部にもナプキン１がフィットし易く、着用者とナプキン１との間の隙間が減ることからも、ナプキン１からの排泄物の漏れを抑制できると言える。また、ナプキン１のフィット性が向上することで、着用者に安心感を与えることができる。
【００２９】
また、仮に、セカンドシート３の幅方向の両端部を折り返さなくても、例えば、セカンドシート３の目付や厚さを高めることで、股締め力が作用した際に、ナプキン１の幅方向の両側部がくしゃくしゃに潰れてしまうことを防げる。しかし、この場合、ナプキン１の幅方向の中央部、即ち、膣口に当接する部位においても、セカンドシート３の目付や厚さが高くなり、トップシート２から吸収体４への液透過性が低下してしまう。同様に、セカンドシート３が液透過性を発揮する程の目付や厚さであっても、セカンドシート３の折り返された部位同士が厚さ方向に重なってしまうと、即ち、セカンドシート３が１層部３１を有さないと、ナプキン１の幅方向の中央部での液透過性が低下してしまう。そこで、本実施形態のように、セカンドシート３の幅方向の両端部を折り返しつつ、セカンドシート３の幅方向の中央部を１層部３１にする。そうすることで、ナプキン１の幅方向の両側部を肌側に起立させつつ、幅方向の中央部の液透過性を確保できる。よって、ナプキン１の幅方向の中央部から排泄物が溢れ出てしまうことを防ぎ、ナプキン１からの排泄物の漏れを抑制できる。
【００３０】
なお、吸収体４が液透過性の被覆材（例えばティッシュシート等）で包まれていてもよく、ナプキン１の長手方向の中央部１ｂにおいて、被覆材の幅方向の長さが、セカンドシート３の幅方向の長さと同じであってもよい。この場合にも、被覆材は、吸収体４よりも剛性が低いため、ナプキン１の幅方向の両側部が肌側に起立することを阻害することはない。
【００３１】
また、本実施形態のナプキン１では、図１に示すように、長手方向の中央部１ｂにおいて、吸収体４の幅方向の端４ａが、幅方向の内側に凸となるように湾曲している。つまり、長手方向の中央位置Ｂに向かって吸収体４の幅が徐々に狭くなっており、長手方向の中央位置Ｂの方が、その中央位置Ｂから長手方向に間隔を空けた位置（例えば位置Ａ）に比べて、吸収体４の幅が狭くなっている。よって、吸収体４が着用者の大腿部に沿い易く、ナプキン１の幅方向の両側部が肌側に起立し易くなる。また、セカンドシート３の幅は長手方向の位置によらずに一定であるため、長手方向の中央部１ｂにおいて、吸収体４から幅方向に飛び出るセカンドシート３の長さを長くできる。そのため、膣口周辺に当接するナプキン１の長手方向の中央部１ｂにおいて、より確実に、ナプキン１の幅方向の両側部を肌側に起立させることができ、幅方向に流れ出た排泄物が堰き止められる。
【００３２】
以上のように、本実施形態のナプキン１では、長手方向の中央部１ｂにおいて、吸収体４が幅方向にくびれており、吸収体４から幅方向にセカンドシート３の２層部３０が飛び出している。そのため、着用者の大腿部は、吸収体４よりも剛性（ごわつき感）の低いセカンドシート３に、トップシート２を介して面で接触する。更に、本実施形態では、セカンドシート３を比較的に弾性の高いシートとしている。そのため、ナプキン１の幅方向の両側部のクッション性が高く、着用者からの股締め力がセカンドシート３により緩和され、着用者への反発力も弱まる。したがって、本実施形態のナプキン１によれば、大人に比べてナプキンの着用に不慣れな小・中学生が着用する場合にも、着用時の違和感を低減できる。換言すると、大人に比べて股間幅の小さい小・中学生が着用する場合にも、吸収体４から幅方向に飛び出たセカンドシート３によって、ナプキン１の幅を調整できるため、着用時の違和感を低減できる。
【００３３】
また、セカンドシート３の一方の面の方が他方の面に比べて剛性が高くなる場合がある。例えば、セカンドシート３が、エアスルー式の不織布である場合、製造時にネットと接触していたネット面の方が、反対側の面に比べて、繊維密度が高くなり、剛性が高くなる。このように、セカンドシート３の両面で剛性が異なる場合、図３に示すように、セカンドシート３の剛性の高い面が内側となるように、幅方向の両端部を非肌側に折り返すことで、剛性の高い面は着用者側に露出せず、剛性の低い面だけを着用者側に向けることができる。つまり、セカンドシート３のクッション性の高い面だけを着用者側に向けることができるため、装着時の違和感をより低減できる。
【００３４】
また、セカンドシート３は、一般に、吸収体４からの液体の逆戻りを防いだり、吸収体４が吸収した液体の隠蔽性を高めたりといった役割を果たすために設けられる。その様なセカンドシート３に、ナプキン１の幅方向の両側部を肌側に起立させたり、クッション性を高めたりする役割も担わせることで、例えば、セカンドシート３とは異なる新たなシート部材を吸収体４よりも幅方向の外側に設けて、起立性やクッション性の役割を担わせる場合に比べて、ナプキン１の構成を簡素化し、低コスト化を図れる。
【００３５】
また、本実施形態のナプキン１では、図１に示すように、長手方向の中央部１ｂにおいて、第１圧縮部７が、吸収体４の幅方向の端４ａに沿って、幅方向の内側に凸となるように湾曲しており、長手方向の中央位置Ｂの方が、その中央位置Ｂから長手方向に間隔を空けた位置（例えば位置Ａ）に比べて、一対の第１圧縮部７の幅方向の間隔が狭くなっている。よって、起立起点である第１圧縮部７が着用者の大腿部に沿い易く、ナプキン１の幅方向の両側部が肌側に起立し易くなる。また、ナプキン１の長手方向の中央部１ｂにおいて、第１圧縮部７から幅方向に飛び出るセカンドシート３の長さを長くできる。そのため、膣口周辺に当接するナプキン１の長手方向の中央部１ｂにおいて、より確実に、ナプキン１の幅方向の両側部を肌側に起立させることができ、また、起立高さを高くできるため、幅方向に流れ出た排泄物が堰き止められる。
【００３６】
そして、第１圧縮部７は幅方向の内側に凸となるように湾曲するのに対して、セカンドシート３の折り返された部位の幅方向の内側の端３ａ（以下、折り返し端３ａ）は長手方向に沿っている。そのため、長手方向の中央位置Ｂを含む長手方向の所定の区間（図１のＣＣ間）では、図３Ｂに示すように、セカンドシート３の折り返し端３ａが、第１圧縮部７よりも幅方向の外側に位置する。一方、長手方向の中央位置Ｂから長手方向に間隔を空けた位置（例えば位置Ａ）では、図３Ａに示すように、セカンドシート３の折り返し端３ａが、第１圧縮部７よりも幅方向の内側に位置する。
【００３７】
そのため、長手方向の中央位置Ｂを含む長手方向の所定の区間（図１のＣＣ間）では、セカンドシート３の２層部３０が、第１圧縮部７によって、吸収体４に押さえ付けられないので、吸収体４から肌側に隆起し易い。つまり、膣口周辺に当接する部位において、ナプキン１の幅方向の両側部を肌側に隆起させることができるため、より確実に、幅方向に流れ出た排泄物が堰き止められる。また、大陰唇から鼠蹊部にかけての膣口周辺部に対するフィット性が高まることからも、ナプキン１からの排泄物の漏れを抑制できると言える。一方、長手方向の中央位置Ｂから長手方向に間隔を空けた位置では、セカンドシート３の２層部３０が、第１圧縮部７によって、吸収体４と一体化するので、セカンドシート３が、比較的に弾性の高いシートであっても、幅方向の両端部が折り返された状態が維持される。なお、例えば、吸収体４の長手方向の長さが１９５ｍｍである場合、セカンドシート３の折り返し端３ａが第１圧縮部７よりも外側に位置する区間（図１のＣＣ間）の長手方向の長さを３０ｍｍ〜５０ｍｍにするとよい。
【００３８】
図５は、ナプキン１の厚さを説明する図である。本実施形態のナプキン１では、自然状態において、第１圧縮部７が形成された部位の厚さ（厚さ方向の長さ）ｔ１が、第１圧縮部７よりも幅方向の外側の部位の最大厚さｔ２の半分以下となっている。なお、本実施形態では、第１圧縮部７が低圧縮部７０と高圧縮部７１を有するが、低圧縮部７０と高圧縮部７１の各厚さが共に、第１圧縮部７よりも幅方向の外側の部位の最大厚さｔ２の半分以下であるとする。そうすることで、図５に示すように、第１圧縮部７よりも肌側の空間が大きくなるため、股締め力が作用した際に、ナプキン１の幅方向の両側部が、肌側に起立し易くなる。換言すると、起立起点となる第１圧縮部７がより非肌側に位置することになるため、ナプキン１の幅方向の両側部が肌側に起立し易くなる。よって、より確実に、幅方向に流れ出た排泄物が堰き止められる。
【００３９】
また、本実施形態のナプキン１では、図２に示すように、ウィング部１０以外の本体部１１に塗布された第１接着剤２０、つまり、下着の肌側面にナプキン１を固定する第１接着剤２０（接着剤）が設けられた領域の幅方向の端２０ａよりも、セカンドシート３の幅方向の端３ｂの方が、幅方向の外側に位置している。つまり、ナプキン１の幅方向の両側部を起立させる役割を担うセカンドシート３が存在する領域の一部は、下着に固定されず、動きが下着に規制されない。したがって、ナプキン１の幅方向の両側部は肌側に起立し易くなり、より確実に、幅方向に流れ出た排泄物が堰き止められる。
【００４０】
＝＝＝変形例＝＝＝
図６は、セカンドシート３の変形例を説明する図である。上記実施形態（図３）では、セカンドシート３の幅方向の両端部が、非肌側に折り返されているが、これに限らず、図６のように、セカンドシート３の幅方向の両端部が、肌側（トップシート２側）に折り返されていてもよい。この場合、セカンドシート３の折り返された部位が、吸収体４に押さえ付けられず、肌側に隆起し易い。よって、ナプキン１の幅方向の両側部を肌側に隆起させることができるため、より確実に、幅方向に流れ出た排泄物が堰き止められる。また、大陰唇から鼠蹊部にかけての膣口周辺部に対するフィット性が高まることからも、ナプキン１からの排泄物の漏れを抑制できると言える。
【００４１】
また、上記実施形態では、第１圧縮部７が、幅方向の内側に凸となるように湾曲しているが、これに限らない。例えば、第１圧縮部７が長手方向に沿い、第１圧縮部７とセカンドシート３の折り返し端３ａとの位置関係が、長手方向の位置によらず一定でもよい。  
この場合に、セカンドシート３の折り返し端３ａが第１圧縮部７よりも幅方向の内側に位置すると、ナプキン１の幅方向の中央部の厚みが増し、クッション性が高まるため、膣口周辺のフィット性が向上し、排泄物の漏れを抑制できる。また、セカンドシート３の折り返し幅が大きいため、ナプキン１の製造工程を容易にできる。
逆に、セカンドシート３の折り返し端３ａが第１圧縮部７よりも幅方向の外側に位置すると、第１圧縮部７におけるセカンドシート３の厚さが薄くなるため、ナプキン１の幅方向の両側部が肌側に起立し易くなり、より確実に、幅方向に流れ出た排泄物が堰き止められる。また、セカンドシート３の資材幅を狭くできるため、低コスト化を図れる。
【００４２】
また、上記実施形態では、吸収体４の平面形状を瓢箪形状としているが、これに限らない。例えば、砂時計形状でもよく、また、長手方向の中央部がくびれていない小判形状や四角形でもよい。その他、第１圧縮部７が形成された部位の厚さが、第１圧縮部７よりも幅方向の外側の部位の最大厚さの半分よりも厚くてもよい。また、バックシート５に塗布された第１接着剤２０の幅方向の端２０ａが、セカンドシート３の幅方向の端３ｂと一致していたり、セカンドシート３の幅方向の端３ｂよりも幅方向の外側に位置したりしていてもよい。また、セカンドシート３の２層部３０の全てが吸収体４よりも幅方向の外側に位置していてもよい。
【００４３】
また、上記実施形態では、吸収性物品として生理用ナプキンを例に挙げているが、これに限らない。例えば、使い捨ておむつ、パンティーライナー、失禁パッド等の他の吸収性物品に対しても本発明を適用できる。
【００４４】
以上、上記実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。
【符号の説明】
【００４５】
１  （生理用）ナプキン（吸収性物品）、１ａ  長手方向の端部、１ｂ  長手方向の中央部、１０  ウィング部、１１  本体部、２  トップシート、３  セカンドシート、３０  ２層部、３１  １層部、４  吸収体、５  バックシート、６  接合部、７  第１圧縮部（圧縮部）、７０  低圧縮部、７１  高圧縮部、８  第２圧縮部、８０  低圧縮部、８１  高圧縮部、２０  第１接着剤（接着剤）、２１  第２接着剤
【図１】
0005860927.tif 000002
【図２】
0005860927.tif 000003
【図３】
0005860927.tif 000004
【図４】
0005860927.tif 000005
【図５】
0005860927.tif 000006
【図６】
0005860927.tif 000007